(57)【特許請求の範囲】
【請求項１】
絶縁ジャケット内に複数の信号導体及び接地導体が並列に配置されたフラットケーブルに圧接接続されるフラットケーブル用コネクタであって、前記フラットケーブルの長手方向と直交方向に延びる細長いハウジングに平行に配置された複数の信号コンタクト及び接地バスを有し、該接地バスは、前記フラットケーブルの前記接地導体に圧接接続される圧接スロットと、前記フラットケーブルの前記信号導体を圧接することなく受承するバイパススロットとが予め決められたパターンで形成されているフラットケーブル用コネクタにおいて、
前記ハウジングは色識別可能であって、
前記接地バスには、前記ハウジングの凹部と係合して前記接地バスを前記ハウジングに固定する突起と、前記ハウジングの中間凹部と整合し、前記接地バスとは異なる別の接地バスの中間突起と異なる位置に配置された中間突起とが形成されており、
前記ハウジングに、前記接地バスを誤って取り付けることが防止されることを特徴とするフラットケーブル用コネクタ。
【請求項２】
前記接地バスの両端には、前記フラットケーブルを案内するタワーを有することを特徴とする請求項１のフラットケーブル用コネクタ。
【発明の詳細な説明】
【０００１】
【発明の属する技術分野】
本発明は電気コネクタ、特にフラットケーブル（平形叉はリボンケーブル）用電気コネクタに関する。
【０００２】
【従来の技術】
米国特許第4,260,209号は、絶縁ジャケット内に包囲された複数の信号及び接地導体を有する形式のフラットリボンケーブルを成端（叉は接続）する電気コネクタを開示している。このコンタクトは、信号導体を圧接接続する為のスロット付ビーム状信号コンタクトと、接地導体を圧接接続する為のスロット付ビーム状接地バスとを有する。信号コンタクトのスロット付ビームは、一つの高さに配置され、接地バスのスロット付ビームは異なる高さにある。成端に先立ち、絶縁ジャケットをストリップ（除去）してそれぞれ信号導体と接地導体を露出させ、信号及び接地導体を異なる面に分離可能にしなければならない。このストリップ作業には時間がかかるので製造コストを上昇させる。更に、信号及び接地導体を成端した後、両者はコネクタ内で異なる高さとなるので、コネクタの全体寸法が大きくなる。
【０００３】
また、米国特許第4,681,382号は、成端後に信号及び接地導体が同じ高さとなるフラットリボンケーブル成端用電気コネクタを開示している。しかし、このコネクタにあっても、絶縁ジャケットの一部を成端前に信号及び接地導体からストリップする必要がある。更に、フラットケーブルの未ストリップ部は、成端後にコネクタ上に折り返して、ストレインリリーフによりグリップ（挟持）できるようにする。
【０００４】
【発明が解決しようとする課題】
上述した従来のフラットケーブル用コネクタにあっては、フラットケーブルの成端部の絶縁ジャケットのストリップ処理その他の手間のかかる処理が必要であったり、成端後のコネクタを小形低背構造とすることが困難であるなどの欠点があった。
【０００５】
従って、本発明の目的は、成端作業が簡単であり、しかも確実に成端可能であり、小形化に好適であるフラットケーブル用コネクタを提供することである。
【０００６】
【課題を解決するための手段】
本発明のフラットケーブル用コネクタはハウジングの長手方向に信号コンタクトと接地バスを平行に配置する。接地バスはフラットケーブルの接地導体を圧接接続する複数の接地導体圧接スロットと、信号導体をバイパスするバイパススロットとを有する。信号導体は信号コンタクトの信号導体圧接スロットに圧接接続される。フラットケーブルは、絶縁ジャケットをストリップすることなくフラットケーブル用コネクタに成端される。
【０００７】
【発明の実施の形態】
以下、本発明のフラットケーブル用コネクタの好適実施例を添付図を参照して詳細に説明する。
【０００８】
先ず、図1を参照して説明する。本発明のフラットケーブル用コネクタ（以下、単にコネクタともいう）８は、絶縁ハウジング10を有し、この絶縁ハウジング10内には、長手方向に2列に配列された複数の信号コンタクト12と、その間の接地バス14とを保持する。この絶縁ハウジング10は、成端面16と反対側の嵌合面18とを有する。コネクタ8は、絶縁ジャケット36内に複数の信号導体32と接地導体34とが交互に並列配置された形式のフラットリボンケーブル30を成端するよう構成されている。このフラットケーブル30は、典型的には十分な数の信号及び接地導体32，34がコネクタ8の長手方向を横切る方向に延びるが、図1中には、このフラットケーブル30の信号及び接地導体32，34の一部分のみを示している。フラットケーブル30は、絶縁ハウジング10の成端面16を横切る方向にコネクタ8に成端されている。
【０００９】
更に、図2乃至図5を参照して説明する。信号コンタクト12は、絶縁ハウジング10の成端面16に開口するキャビティ20に取付けられ、接地バス14は、これまた成端面16に開口する接地バススロット22内に取付けられる。信号コンタクト12用キャビティ20は、一般に絶縁ハウジング10を貫通し、この絶縁ハウジング10の嵌合面18にも開口している。各信号コンタクト12は、保持部62を有し、キャビティ20の1つに摩擦係合して信号コンタクト12をキャビティ20内に保持固定する。また、各信号コンタクト12は、絶縁ハウジング10の成端面16から上方に突出し且つ信号導体圧接スロット66が形成された成端部60を有する。この信号導体圧接スロット66は、挿入される信号導体32の圧接接続部を形成する対向するエッジを有する。各信号コンタクト12は、相手コネクタ（図示せず）のピンが嵌合面18からキャビティ20内に挿入されるとき、このピンと嵌合（又は接触）する対向ビーム68を含む嵌合部を有する。
【００１０】
接地バス14は、金属板を打抜き折曲げ加工により形成され、3個の突起を除き実質的に平板状である。これら突起は、接地バス１４の面を加圧変形させた中間突起82と2つの端部突起84とを含む。図6に示す如く、各突起82，84は、円弧状ストリップに接地バス１４と一体に形成され、両端85は接地バス１４に取付けられている。突起82，84は、図4に示す如く接地バス１４用スロット22の側壁の対応する中間凹部86及び端凹部88内に受容される。突起82，84は、凹部86，88と協働して接地バス14を絶縁ハウジング10内に保持固定する。更に、中間突起82は、中間凹部86と協働して、後述するキーイング作用をする。
【００１１】
次に、図1乃至図3を参照すると、接地バス14は絶縁ハウジング10の成端面16の上方に延びる成端部として形成されるエッジ部70を有する。このエッジ部70には、複数の接地導体圧接スロット72が形成され、各接地導体34を圧接接続するよう構成されている。また、接地バス14のエッジ部70は、信号導体32より大きいバイパススロット74を有する。各バイアススロット74は、関連する信号コンタクト12の信号導体圧接スロット66の1つと横方向にアライメントされている。図1に示す如く、フラットケーブル30がコネクタ8に成端されると、バイパススロット74は、対応する信号コンタクト12に成端された信号導体32を受容／収容し、これにより、信号導体32が接地バス14のエッジ部70に入り接地バス14に成端されることなく、接地バス14のエッジ部70に受承され、接地バス14に成端されることなく、接地バス14を貫通可能にする。バイパススロット74を設けることにより、信号コンタクト１２の信号導体圧接スロット66及び接地バス14内の接地導体圧接スロット72が整列され、フラットケーブル30の信号導体32及び接地導体34が、成端後にコネクタ8の成端面16に隣接する共通面内に配置されるようにする。
【００１２】
また、接地バス14のエッジ部70は、信号導体圧接スロット76を有し、これら信号導体圧接スロット76は、信号導体32の選択された導体の圧接接続を行うように形成されている。各信号導体圧接スロット76は、対応するバイパススロット74の位置に設けられ、これにより信号導体32のうち選択されたものを接地バス14に成端可能にする。信号導体圧接スロット76は、接地バス14上に選択的に配列してもよい。即ち、接地バス14は、異なる構成とし、信号導体32の異なる選択されたものを接地バス14にコモニング（共通化叉は短絡）するようプログラムしてもよい。
【００１３】
異なる構成の接地バス14をコネクタハウジング10内に取付け、信号導体３２のプログラムされた接地のみにおいて異なる複数のフラットケーブル用コネクタを得る。プログラムされたコネクタを識別する為に、コネクタハウジング10はカラーコード（色識別）可能である。しかし乍ら、異なる構成のカラーコードしたコネクタハウジングに、特定構成にプログラムされた接地バスを誤って取付けるのを防止する必要性がある。従って、接地バス14とコネクタハウジング10は各構成用の協働するキーイング機能を有する。特に、接地バス14の中間突起82は、接地バス14の異なるプログラムされた構成に対し、接地バス14に沿って異なる位置に配置され、対応するカラーコードされたハウジング10は、この突起８２とアライメントされて中間凹部86を有する。
【００１４】
接地バス14は、両端にタワー78を有し、成端中にフラットケーブル30をコネクタ８とアライメントする作用をする面80を有する。コネクタ8は、ハウジング10との間にフラットケーブル30を配置してカバー24を受けて、これをハウジング10に向けて押圧してコネクタ8にフラットケーブル30を成端する。このカバー24は、波状面26を有し、フラットケーブル30の個々の信号及び接地導体32，34を収容し、これによりフラットケーブル30用ネストを提供する。ネストの側面28は、フラットケーブル３０と密接するよう形成され、これによりフラットケーブル30をネスト内及びコネクタ8内にアライメントするのを助ける。
【００１５】
絶縁ハウジング10の各長手端は、カバー24のラッチアーム42を受容するウェル（井戸）40を有する。このハウジング10は、その側壁46から各ウェル40内へ延出するバンプ又は突起44を有する。1対の突起44は、各ウェル40内で相互に横方向に対向している。この突起44は、ラッチアーム42がウェル40内に挿入されるとき、剪断面48と当接するストッパとして作用する。これにより、カバー24をハウジング10に対して図10に示す初期叉は仮位置に位置決めする。ラッチアーム42は、ウェル40の側壁46との間に僅かに摩擦係合し、ラッチアーム42を十分に持ち上げてカバー24を仮位置に保持する。この位置で、フラットケーブル30はカバー24とハウジング10間に挿入可能である。
【００１６】
そこでカバー24に力を加えると、カバー24はハウジング10と一体化し、突起44はウェル40の壁面46からラッチアームの面48により剪断される。これにより、カバー24はハウジング10に対して最終組立位置となり、ラッチアーム42のラッチバー50によりハウジングのロック用タブ52の下にロックされる（図11参照）。
【００１７】
以上、本発明のフラットケーブル用コネクタの好適実施例を説明したが、本発明は斯る特定実施例のみに限定するべきではなく、種々の変形変更が可能であること当業者には明らかであろう。
【００１８】
【発明の効果】
上述の説明から理解される如く、本発明のフラットケーブル用コネクタは、絶縁ジャケット内に複数の信号及び接地導体を有するフラットケーブル用コネクタであって、コネクタへの成端に先立ち絶縁ジャケットをストリップする必要がないので、作業性が良好である。また、接地バスには圧接スロットとバイパススロットを適宜プログラムして形成し、フラットケーブルの信号及び接地導体の選択的接続が可能である。しかも、成端後に信号及び接地導体が同一面にあるのでコネクタの小形化が可能であるという実用上の顕著な効果を有する。
【図面の簡単な説明】
【図１】本発明のフラットケーブル用コネクタの好適実施例の斜視図。
【図２】図１のフラットケーブル用コネクタの一端部を断面した正面図。
【図３】図２のフラットケーブル用コネクタとカバーの分解図。
【図４】図１のフラットケーブル用コネクタのハウジングの上面図。
【図５】図２のハウジングの底面図。
【図６】図３のフラットケーブル用コネクタの線６−６に沿う接地バスの断面図。
【図７】図３のコネクタカバーの正面図。
【図８】図３のコネクタカバーの底面図。
【図９】図１のフラットケーブル用コネクタにカバーを取付ける前の側面図。
【図１０】図９のコネクタハウジングとカバーとが仮位置にある側面図。
【図１１】図９のコネクタハウジングとカバーの完全組立状態を示す側面図。
【符号の説明】
８      フラットケーブル用コネクタ
１０    ハウジング
１２    信号コンタクト
１４    接地バス
２４    カバー
３０    フラットケーブル
３２    信号導体
３４    接地導体
６６    信号導体圧接スロット
７２    接地導体圧接スロット
７４    バイパススロット
７８    タワー
８２，８４    突起
８６，８８    凹部
【図１】
0004219005.tif 000002
【図２】
0004219005.tif 000003
【図３】
0004219005.tif 000004
【図４】
0004219005.tif 000005
【図５】
0004219005.tif 000006
【図６】
0004219005.tif 000007
【図７】
0004219005.tif 000008
【図８】
0004219005.tif 000009
【図９】
0004219005.tif 000010
【図１０】
0004219005.tif 000011
【図１１】
0004219005.tif 000012